(57)【要約】【課題】画像または映像を所定の伸張率で伸張することにより、斜め方向から画像または映像を見る場合に、本来のアスペクト比の画像または映像を見ることができ、見やすい画像または映像にすること。【解決手段】視聴方向検出部１０１は、車の同乗者である視聴者が表示部１０５の表示面を見る方向を検出する。伸張率制御部１０３は、検出した視聴者が表示面を見る方向に応じた伸張率を選択し、選択した伸張率で画像または映像を伸張するように制御する。信号処理部１０４は、伸張率制御部１０３の制御に従って、伸張率制御部１０３で選択した伸張率で画像または映像を伸張する。表示部１０５は、伸張した画像または映像を表示する。【選択図】図１
2007256531.tif 000002
【特許請求の範囲】
【請求項１】
表示面に画像または映像を表示する表示手段と、
視聴者が前記表示面を見る方向を検出する視聴方向検出手段と、
検出した前記方向に応じた伸張率で伸張した画像または映像を前記表示面に表示させる伸張率制御手段と、
を具備する表示装置。
【請求項２】
前記視聴方向検出手段は、視聴者が前記表示面を見る水平方向の角度を前記方向として検出するとともに、検出した前記角度から前記表示面の水平方向の各位置における視聴者が前記表示面を見る角度を求め
前記伸張率制御手段は、求めた前記各位置における視聴者が前記表示面を見る角度に応じた伸張率で画像または映像を伸張することにより、前記水平方向に沿って前記視聴者から離れるほど伸張率を大きくして伸張した画像または映像を前記表示面に表示させる請求項１記載の表示装置。
【請求項３】
角度と伸張率とを関係付けた伸張率選択情報を記憶する記憶手段を具備し、
前記伸張率制御手段は、視聴者が前記表示面を見る水平方向の角度を前記方向として検出するとともに、検出した前記角度を用いて前記伸張率選択情報を参照することにより選択した伸張率で伸張した画像または映像を前記表示面に表示させる請求項１記載の表示装置。
【請求項４】
前記表示手段は、前記表示面に複数の画像または映像を個別に表示し、
前記視聴方向検出手段は、複数の視聴者毎に前記方向を検出し、
複数の視聴者毎に検出した前記方向に応じた伸張率で伸張した各画像または各映像を前記表示面に表示させる請求項１記載の表示装置。
【請求項５】
表示面に画像または映像を表示する表示手段と、
視聴者が前記表示面を見る方向の情報である視聴方向情報を取得する視聴方向情報取得手段と、
取得した前記視聴方向情報の方向に応じた伸張率で伸張した画像または映像を前記表示面に表示させる伸張率制御手段と、
を具備する表示装置。
【請求項６】
表示面に画像または映像を表示するステップと、
視聴者が前記表示面を見る方向を検出するステップと、
検出した前記方向に応じた伸張率で伸張した画像または映像を前記表示面に表示させるステップと、
を具備する表示方法。
【請求項７】
表示面に画像または映像を表示するステップと、
視聴者が前記表示面を見る方向の情報である視聴方向情報を取得するステップと、
取得した前記視聴方向情報の方向に応じた伸張率で伸張した画像または映像を前記表示面に表示させるステップと、
を具備する表示方法。
【発明の詳細な説明】
【技術分野】
【０００１】
本発明は表示装置及び表示方法に関し、例えば車の同乗者が車内で映像を視聴するための表示装置及び表示方法に関する。
【背景技術】
【０００２】
従来、車の後部座席の同乗者のために、前方の座席の背面に表示装置を設置して、設置した表示装置にて映像を表示するものが知られている。後部座席に座っている一人または複数人の同乗者は、走行中に表示装置に表示された映像を楽しむことができる。
【０００３】
この際に、後部座席に座っている同乗者は、斜め方向から表示装置に表示された映像を見る場合がある。即ち、座席に座った同乗者よりも高い位置の表示装置に映像が表示される場合、例えば車内の天井に取り付けられた表示装置に映像が表示される場合には、図１２に示すように、視聴者１は、表示面２に表示された映像を視聴する際に、視聴角度θｖで視聴する状態になる（例えば、特許文献１）。また、視聴者１が座高の低い子供である場合には、視聴者である子供は、視聴角度θｖで視聴する状態になる。また、運転席と助手席の中間位置に表示装置が取り付けられている場合には、図１３に示すように、視聴者１０、１１は、表示面１２に対して、視聴角度θｈで視聴する状態になる（例えば、特許文献２）。
【特許文献１】特開２００４−８２８３５号公報
【特許文献２】特開２００４−２９３１９５号公報
【発明の開示】
【発明が解決しようとする課題】
【０００４】
しかしながら、従来の装置においては、視聴者が、図１２に示すように視聴角度θｖで表示面に表示される映像を視聴する際には、図１４に示すように、視聴角度θｖが大きくなるほど表示される映像の垂直方向の圧縮率が小さくなり、映像が垂直方向により圧縮された状態で見えるようになる。また、視聴者が、図１３に示すように視聴角度θｈで表示面に表示される映像を視聴する際には、図１５に示すように、視聴角度θｈが大きくなるほど表示される映像の水平方向の圧縮率が小さくなり、映像が水平方向により圧縮された状態で見えるようになる。
【０００５】
このような状態は、車内では後部座席の同乗者と画面との距離が接近しているとともに、車内では運転の支障を来さないように画面のサイズは制限されたものになるため、後部座席の同乗者が画面の正面から僅かに横に移動しただけでも、同乗者の画面を見る視聴角度は家庭でテレビを見る場合よりも大きくなる。このように、同乗者が映像を斜め方向から見る場合は、後部座席の同乗者には、表示された映像が水平方向及び垂直方向に圧縮されて見えるので、本来表示装置の正面で見ることができるアスペクト比の映像を見ることができず、表示された映像が見づらいという問題がある。特に、画面が横方向に広いワイド画面の場合に映像が見づらいという問題がある。
【０００６】
本発明はかかる点に鑑みてなされたものであり、画像または映像を所定の伸張率で伸張することにより、斜め方向から画像または映像を見る場合に、本来のアスペクト比の画像または映像を見ることができ、見やすい画像または映像にすることができる表示装置及び表示方法を提供することを目的とする。
【課題を解決するための手段】
【０００７】
本発明の表示装置は、表示面に画像または映像を表示する表示手段と、視聴者が前記表示面を見る方向を検出する視聴方向検出手段と、検出した前記方向に応じた伸張率で伸張した画像または映像を前記表示面に表示させる伸張率制御手段と、を具備する構成を採る。
【０００８】
本発明の表示装置は、表示面に画像または映像を表示する表示手段と、視聴者が前記表示面を見る方向の情報である視聴方向情報を取得する視聴方向情報取得手段と、取得した前記視聴方向情報の方向に応じた伸張率で伸張した画像または映像を前記表示面に表示させる伸張率制御手段と、を具備する構成を採る。
【０００９】
本発明の表示方法は、表示面に画像または映像を表示するステップと、視聴者が前記表示面を見る方向を検出するステップと、検出した前記方向に応じた伸張率で伸張した画像または映像を前記表示面に表示させるステップと、を具備するようにした。
【００１０】
本発明の表示方法は、表示面に画像または映像を表示するステップと、視聴者が前記表示面を見る方向の情報である視聴方向情報を取得するステップと、取得した前記視聴方向情報の方向に応じた伸張率で伸張した画像または映像を前記表示面に表示させるステップと、を具備するようにした。
【発明の効果】
【００１１】
本発明によれば、画像または映像を所定の伸張率で伸張することにより、斜め方向から画像または映像を見る場合に、本来のアスペクト比の画像または映像を見ることができ、見やすい画像または映像にすることができる。
【発明を実施するための最良の形態】
【００１２】
以下、本発明の実施の形態について、図面を参照して詳細に説明する。
【００１３】
（実施の形態１）
図１は、本発明の実施の形態１に係る車載用表示装置１００の構成を示すブロック図である。
【００１４】
視聴方向検出部１０１は、例えば車の同乗者である視聴者の視聴する方向を知らせるスイッチを備えており、視聴者により当該スイッチが押圧されることにより、視聴者が表示部１０５の表示面を見る方向を検出する。例えば、視聴方向検出部１０１は、表示面の中心を通る表示面と垂直な直線に対する、表示面の中心と視聴者とを結ぶ直線のなす水平方向の角度（以下「水平視聴角度」と記載する）及び垂直方向の角度（以下「垂直視聴角度」と記載する）を、視聴者が表示部１０５の表示面を見る方向として検出する。そして、視聴方向検出部１０１は、検出した水平視聴角度及び垂直視聴角度の情報を伸張率制御部１０３へ出力する。
【００１５】
メモリ１０２は、伸張率を選択するための伸張率選択情報を記憶している。
【００１６】
伸張率制御部１０３は、視聴方向検出部１０１から入力した水平視聴角度及び垂直視聴角度の情報を用いて、メモリ１０２に記憶している伸張率選択情報を参照して、水平方向及び垂直方向の伸張率を各々選択する。そして、伸張率制御部１０３は、選択した水平方向の伸張率及び垂直方向の伸張率の情報である伸張率情報を信号処理部１０４へ出力する。なお、各伸張率を選択する方法の詳細については後述する。
【００１７】
信号処理部１０４は、例えば記憶媒体に記録された画像または映像を再生することにより画像データまたは映像データが入力した場合に、伸張率制御部１０３から入力した伸張率情報の水平方向の伸張率及び垂直方向の伸張率で、入力した画像データの画像または映像データの映像を伸張して表示部１０５へ出力する。
【００１８】
表示部１０５は、例えば液晶画面の表示面を有しており、信号処理部１０４から入力した画像または映像を表示面に表示する。
【００１９】
次に、車載用表示装置１００を用いて画像または映像を表示する表示方法について、図２を用いて説明する。図２は、画像または映像を表示する表示方法を示すフロー図である。
【００２０】
最初に、車載用表示装置１００は、イベント待ちの状態になっている（ステップＳＴ２０１）。
【００２１】
次に、視聴方向検出部１０１は、視聴者が視聴する方向をスイッチにより入力することにより、視聴者が表示部１０５を見る方向を検出する（視聴方向検出処理）（ステップＳＴ２０２）。具体的には、視聴方向検出部１０１は、垂直視聴角度θｖと水平視聴角度θｈとを検出する。ここで、垂直視聴角度θｖとは、図３に示すように、表示面３０３を視聴者３０１と水平で且つ地面に対して垂直に立てた場合の、表示面３０３に対する、視聴者３０１と表示面３０３の中心とを結ぶ直線３０４がなす角度である。また、水平視聴角度θｈとは、図４に示すように、表示面４０１を視聴者４０３と水平で且つ地面に垂直に立てた場合の、表示面４０１の中心を通る表示面４０１に対して垂直な直線４０２に対する、表示面４０１の中心と視聴者４０３とを結ぶ直線４０４がなす角度である。例えば、視聴方向検出部１０１は、視聴者が視聴する角度、即ち視聴者が表示面を見る角度を視聴者が手動で入力するためのスイッチを備えている。そして、視聴者が当該スイッチを操作して自分が表示面を見る水平方向及び垂直方向の角度を選択することにより、視聴方向検出部１０１は、垂直視聴角度θｖと水平視聴角度θｈとを検出する。
【００２２】
次に、信号処理部１０４は、入力した画像データの画像または映像データの映像の解像度を取得して（ステップＳＴ２０３）、取得した解像度の情報である解像度情報を伸張率制御部１０３へ出力する。
【００２３】
次に、伸張率制御部１０３は、信号処理部１０４から入力した解像度情報の解像度に基づいて、表示面における変曲点の数ｎを取得する（ステップＳＴ２０４）。
【００２４】
次に、伸張率制御部１０３は、あらかじめ記憶している表示部１０５の表示面の解像度と取得した変曲点の数ｎとに基づいて、各変曲点ｉの表示面における水平位置Ｐｉを算出する（ステップＳＴ２０５）。具体的には、伸張率制御部１０３は、（１）式を用いて水平位置Ｐｉを求める。
Ｐｉ＝ｉ×（Ｌ／Ｎ）              （１）
ただし、ｉは変曲点、
Ｐｉは各変曲点ｉの表示面における水平位置、
Ｌは表示面の横の長さ、
Ｎは表示面の分割数である。
【００２５】
次に、伸張率制御部１０３は、各変曲点ｉの表示面における水平位置Ｐｉと水平視聴角度θｈとに基づいて、変曲点毎に視聴者の視聴角度θｉを取得する（ステップＳＴ２０６）。具体的には、メモリ１０２は、水平視聴角度θｈと水平位置Ｐｉ毎の視聴角度とを関係付けた変曲点視聴角度選択情報を記憶しており、伸張率制御部１０３は、視聴方向検出部１０１で検出した水平視聴角度θｈと算出した水平位置Ｐｉとを用いて、変曲点視聴角度選択情報を参照して水平位置Ｐｉ毎の視聴角度θｉを選択する。
【００２６】
図５は、変曲点ｉ（ｉ＝０〜４）毎の視聴角度θｉの一例を示す図である。ここで、視聴角度θｉとは、図５に示すように、各変曲点ｉの表示面５０１の水平方向（図５の左右方向）の各水平位置Ｐｉにおける、表示面５０１と垂直な直線５０２−１〜５０２−５に対する、視聴者５０３と水平位置Ｐｉとを結ぶ直線５０４−１〜５０４−５がなす角度である。図５の場合、変曲点の数ｎ＝５であり、各変曲点ｉの水平位置Ｐｉは図５に示すＰ０〜Ｐ４の位置になる。視聴角度θｉは、図５に示すように、位置Ｐ０についてはθ０であり、位置Ｐ１についてはθ１であり、位置Ｐ２についてはθ２であり、位置Ｐ３についてはθ３であり、位置Ｐ４についてはθ４であり、θ０＞θ１＞θ２＞θ３＞θ４の関係になる。なお、表示面５０１は、水平走査線０〜４８０の４８１本の走査線を有している。
【００２７】
次に、車載用表示装置１００は、１フレーム分の映像の画素処理を行う（ステップＳＴ２０７）。ステップＳＴ２０７において、伸張率制御部１０３は、１本の水平走査線について、表示面の画素水平位置が水平位置Ｐｉより小さいか否か判定する（ステップＳＴ２０８）。
【００２８】
画素水平位置が水平位置Ｐｉよりも小さい場合は、伸張率制御部１０３は、視聴角度θｉに適した伸張率Ｇｉを取得し、信号処理部１０４は、伸張率Ｇｉで画像または映像の伸張を行う（ステップＳＴ２０９）。
【００２９】
一方、ステップＳＴ２０８において、画素水平位置が水平位置Ｐｉよりも小さくない場合は、伸張率制御部１０３はｉの値に１を加算する（ステップＳＴ２１０）。
【００３０】
次に、伸張率制御部１０３は、ｉの値が変曲点の数ｎよりも大きいか否かを判定する（ステップＳＴ２１１）。ｉの値が変曲点の数ｎよりも大きい場合は、伸張率制御部１０３は、１フレーム分の映像の画素処理が終了したか否か判定する（ステップＳＴ２１２）。
【００３１】
一方、ステップＳＴ２１１において、ｉの値が変曲点の数ｎよりも大きくない場合は、伸張率制御部１０３は、ｉの値を０に設定する（ステップＳＴ２１３）。そして、伸張率制御部１０３は、１フレーム分の映像の画素処理が終了したか否か判定する（ステップＳＴ２１２）。
【００３２】
次に、伸張率制御部１０３は、ステップＳＴ２１２において、１フレーム分の映像の画素処理が終了したと判定した場合には、ステップＳＴ２０７のループを解除して（ステップＳＴ２１４）、ステップＳＴ２０１のイベント待ちの状態になる。一方、伸張率制御部１０３は、ステップＳＴ２１２において、１フレーム分の映像の画素処理が終了していないと判定した場合には、ステップＳＴ２０７のループを継続する。このようにして伸張した画像または映像は、表示面５０１の水平方向に沿って視聴者５０３から離れるほど視聴角度θｉが大きくなるので、表示面５０１の水平方向に沿って視聴者５０３から離れるほど伸張率を段階的に大きくして伸張した状態で表示される。
【００３３】
このように、本実施の形態１によれば、画像または映像を斜め方向から見る場合に、画像または映像が圧縮した状態で見えないような伸張率で画像または映像を伸張することにより、本来のアスペクト比の画像または映像を見ることができ、見やすい画像または映像にすることができる。
【００３４】
なお、本実施の形態１において、１人の視聴者が視聴する場合について説明したが、これに限らず、複数人の視聴者が画像または映像を視聴する場合にも適用できる。この場合には、伸張率を選択する際に、視聴者毎に伸張率を求めて平均するようにすれば良い。
【００３５】
（実施の形態２）
図６は、車載用表示装置を用いて画像または映像を表示する表示方法を示すフロー図である。図６では、視聴者が複数人である場合について説明する。なお、実施の形態２の車載用表示装置は図１と同一構成であるので、その説明は省略する。
【００３６】
最初に、車載用表示装置は、イベント待ちの状態になる（ステップＳＴ６０１）。
【００３７】
次に、視聴方向検出部１０１は、画像または映像を視聴すると想定される人数分のスイッチを備えており、各視聴者が視聴する方向をスイッチにより入力することにより、視聴者の人数ｎ（ｎは任意の自然数）と、表示部１０５の表示面に対する視聴者の視聴する方向とを検出する（視聴方向検出処理）（ステップＳＴ６０２）。具体的には、視聴方向検出部１０１は、座席に着座した視聴者の人数ｎと、垂直視聴角度θｖ０〜θｖｎと、水平視聴角度θｈ０〜θｈｎとを視聴者毎に検出する。例えば、視聴方向検出部１０１は、視聴者が視聴する角度、即ち視聴者が表示面を見る角度を視聴者が手動で入力するためのスイッチを備えている。そして、各視聴者が当該スイッチを操作して自分が表示面を見る水平方向及び垂直方向の角度を各々選択することにより、視聴方向検出部１０１は、垂直視聴角度θｖ０〜θｖｎと水平視聴角度θｈ０〜θｈｎとを検出する。
【００３８】
次に、伸張率制御部１０３は、視聴方向検出部１０１で検出した水平視聴角度θｈ０〜θｈｎに基づいて、伸張率Ｇθｈ０〜Ｇθｈｎを選択する（ステップＳＴ６０３）。具体的には、メモリ１０２は、水平視聴角度θｈ０〜θｈｎと伸張率とを関係付けた伸張率選択情報を記憶しており、伸張率制御部１０３は、視聴方向検出部１０１で検出した水平視聴角度θｈ０〜θｈｎを用いて伸張率選択情報を参照して伸張率Ｇθｈ０〜Ｇθｈｎを選択する。
【００３９】
次に、伸張率制御部１０３は、視聴方向検出部１０１で検出した垂直視聴角度θｖ０〜θｖｎに基づいて、伸張率Ｇθｖ０〜Ｇθｖｎを選択する（ステップＳＴ６０４）。具体的には、メモリ１０２は、垂直視聴角度θｖ０〜θｖｎと伸張率とを関係付けた伸張率選択情報を記憶しており、伸張率制御部１０３は、視聴方向検出部１０１で検出した垂直視聴角度θｖ０〜θｖｎを用いて伸張率選択情報を参照して伸張率Ｇθｖ０〜Ｇθｖｎを選択する。
【００４０】
次に、伸張率制御部１０３は、伸張率Ｇｈ０〜Ｇｈｎの平均値Ｇｈを算出する（ステップＳＴ６０５）。
【００４１】
次に、伸張率制御部１０３は、伸張率Ｇθｖ０〜Ｇθｖｎの平均値Ｇｖを算出する（ステップＳＴ６０６）。
【００４２】
次に、伸張率制御部１０３は、画像データの画像または映像データの映像の解像度を取得する（ステップＳＴ６０７）。
【００４３】
次に、伸張率制御部１０３は、取得した解像度に基づいて垂直方向の伸張率の最大値Ｇｖ ｍａｘを取得するとともに水平方向の伸張率の最大値Ｇｈ ｍａｘを選択する（ステップＳＴ６０８）。具体的には、メモリ１０２は、図７に示すような、解像度と最大の伸張率とを関係付けた最大伸張率選択情報を記憶しており、取得した解像度を用いて最大伸張率選択情報を参照して水平方向の伸張率の最大値と垂直方向の伸張率の最大値を選択する。
【００４４】
次に、伸張率制御部１０３は、平均値Ｇｖが垂直方向の伸張率の最大値Ｇｖ ｍａｘより小さいか否か判定する（ステップＳＴ６０９）。
【００４５】
平均値Ｇｖが垂直方向の伸張率の最大値Ｇｖ ｍａｘより小さい場合には、伸張率制御部１０３は、平均値Ｇｖを垂直方向における伸張率として選択して、平均値Ｇｈが水平方向の伸張率の最大値Ｇｈ ｍａｘよりも小さいか否かを判定する（ステップＳＴ６１０）。
【００４６】
一方、ステップＳＴ６０９において、平均値Ｇｖが垂直方向の伸張率の最大値Ｇｖ ｍａｘより小さくない場合には、伸張率制御部１０３は、垂直方向の伸張率の最大値Ｇｖ ｍａｘを垂直方向における伸張率として選択する（Ｇｖ＝Ｇｖ ｍａｘ）（ステップＳＴ６１１）。
【００４７】
次に、ステップＳＴ６１０において、平均値Ｇｈが水平方向の伸張率の最大値Ｇｈ ｍａｘよりも小さい場合には、伸張率制御部１０３は、平均値Ｇｈを水平方向における伸張率として選択して、解像度と水平方向の伸張率と垂直方向の伸張率と表示部１０５の表示面の解像度とに基づいて、表示面の上下及び左右に挿入する黒画の挿入画素数を算出する（ステップＳＴ６１２）。
【００４８】
一方、ステップＳＴ６１０において、平均値Ｇｈが水平方向の伸張率の最大値Ｇｈ ｍａｘよりも小さくない場合には、伸張率制御部１０３は、水平方向の伸張率の最大値Ｇｈ ｍａｘを水平方向における伸張率として選択する（Ｇｈ＝Ｇｈ ｍａｘ）（ステップＳＴ６１３）。
【００４９】
次に、信号処理部１０４は、画像データの画像または映像データの映像を伸張率Ｇｈで水平方向に均一に伸張するとともに伸張率Ｇｖで垂直方向に均一に伸張する（ステップＳＴ６１４）。
【００５０】
次に、信号処理部１０４は、伸張率制御部１０３で算出した挿入画素数の黒画を挿入する（ステップＳＴ６１５）。そして、車載用表示装置は、ステップＳＴ６０１のイベント待ちの状態になる。
【００５１】
図８は、従来の画像を伸張しない場合と本実施の形態２により画像を伸張した場合とを比較して示す図である。視聴者が表示面８０２を正面から見た際に、図８（ａ）に示すように、画像８０１は圧縮された状態で見えることはない。一方、視聴者が、表示面８０２に対して正面の位置から１０度左側に寄った位置に座った場合は、図８（ｂ）に示すように、画像８０１は、水平方向の左方向に７６％に圧縮された状態で視聴者には見える。また、視聴者が、表示面８０２に対して正面の位置から１０度右側に寄った位置に座った場合は、図８（ｃ）に示すように、画像８０１は、水平方向の右方向に７６％に圧縮された状態で視聴者には見える。また、視聴者が、表示面８０２に対して正面の位置から４０度下側に下がった位置で表示面を視聴する場合は、図８（ｂ）（ｃ）に示すように、画像８０１は、垂直方向の上側に９８％に圧縮された状態で視聴者には見える。
【００５２】
この場合に、伸張率制御部１０３は、伸張率＝１／（１００×ｃｏｓθ）より求めた伸張率で画像８０１を伸張する。即ち、伸張率制御部１０３は、上記式より求めた伸張率で、水平方向に１３１％に画像を伸張するとともに垂直方向に１０２％に画像を伸張して表示されるように制御する。これにより、視聴者は、図８（ｄ）に示すように、視聴者が表示面に対して正面から視聴した際の図８（ａ）の画像８０１と同様の状態の画像を見ることができる。
【００５３】
このように、本実施の形態２によれば、上記実施の形態１の効果に加えて、複数人の視聴者が画像または映像を視聴する場合に、各視聴者について選択した水平方向及び垂直方向の伸張率を平均するとともに、平均した伸張率で伸張した画像または映像を表示するので、一部の視聴者にとっては見やすい画像または映像であっても他の視聴者には見づらい画像または映像になることを防ぐことができる。
【００５４】
なお、本実施の形態２において、複数人の視聴者により画像または映像を視聴するようにしたが、これに限らず、１人の視聴者が画像または映像を視聴する場合にも適用できる。この場合には、伸張率を選択する際に伸張率の平均値を求めることは不要になる。
【００５５】
（実施の形態３）
図９は、本発明の実施の形態３に係る車載用表示装置９００の構成を示すブロック図である。
【００５６】
本実施の形態３に係る車載用表示装置９００は、図１に示す実施の形態１に係る車載用表示装置１００において、図１１に示すように、視聴方向検出部９０１と、メモリ９０２と、伸張率制御部９０３と、信号処理部９０４と、２画面合成部９０５とを追加し、表示部１０５の代わりに表示部９０６を有する。なお、図９においては、図１と同一構成である部分には同一の符号を付してその説明は省略する。
【００５７】
視聴方向検出部１０１は、例えば車の同乗者である視聴者の視聴する方向を知らせるスイッチを備えており、視聴者により当該スイッチが押圧されることにより、視聴者が表示部９０６の表示面９０７を見る方向を検出する。例えば、視聴方向検出部１０１は、水平視聴角度及び垂直視聴角度を、視聴者が表示部９０６の表示面９０７を見る方向として検出する。そして、視聴方向検出部１０１は、検出した水平視聴角度及び垂直視聴角度の情報を伸張率制御部１０３へ出力する。
【００５８】
信号処理部１０４は、例えば記憶媒体に記録された画像または映像を再生することにより画像データまたは映像データが入力した場合に、伸張率制御部１０３から入力した伸張率情報の水平方向の伸張率及び垂直方向の伸張率で、入力した画像データの画像または映像データの映像を伸張して２画面合成部９０５へ出力する。
【００５９】
視聴方向検出部９０１は、例えば車の同乗者である視聴者の視聴する方向を知らせるスイッチを備えており、視聴者により当該スイッチが押圧されることにより、視聴者が表示部９０６の表示面９０８を見る方向を検出する。例えば、視聴方向検出部９０１は、水平視聴角度及び垂直視聴角度を、視聴者が表示部９０６の表示面９０８を見る方向として検出する。そして、視聴方向検出部９０１は、検出した水平視聴角度及び垂直視聴角度の情報を伸張率制御部９０３へ出力する。
【００６０】
メモリ９０２は、伸張率を選択するための伸張率選択情報を記憶している。
【００６１】
伸張率制御部９０３は、視聴方向検出部９０１から入力した水平視聴角度及び垂直視聴角度の情報を用いて、メモリ９０２に記憶している伸張率選択情報を参照して、水平方向及び垂直方向の伸張率を各々選択する。そして、伸張率制御部９０３は、選択した水平方向の伸張率及び垂直方向の伸張率の情報である伸張率情報を信号処理部９０４へ出力する。
【００６２】
信号処理部９０４は、例えば記憶媒体に記録された画像または映像を再生することにより画像データまたは映像データが入力した場合に、伸張率制御部９０３から入力した伸張率情報の水平方向の伸張率及び垂直方向の伸張率で、入力した画像データの画像または映像データの映像を伸張して２画面合成部９０５へ出力する。
【００６３】
２画面合成部９０５は、信号処理部１０４から入力した画像データまたは映像データと信号処理部９０４から入力した画像データまたは映像データとに対して、１つの表示面にて個別に２画面で画像または映像を表示するための合成処理を行って表示部９０６へ出力する。また、２画面合成部９０５は、信号処理部１０４または信号処理部９０４の何れか一方のみからしか画像データまたは映像データが入力しない場合には、２画面で表示するための合成処理を行わずに、入力した一方の画像データまたは映像データを表示部９０６へ出力する。
【００６４】
表示部９０６は、２つの表示面９０７、９０８の各々に画像または映像を個別に表示することが可能であり、２画面合成部９０５から入力した信号処理部１０４で処理された画像データの画像または映像データの映像を表示面９０７に表示し、２画面合成部９０５から入力した信号処理部９０４で処理された画像データの画像または映像データの映像を表示面９０８に表示する。また、表示部９０６は、２画面合成部９０５から信号処理部１０４で処理された画像データまたは映像データと、信号処理部９０４で処理された画像データまたは映像データとの何れか一方のみが入力した場合には、入力した画像データの画像または映像データの映像を、該当する表示面９０７、９０８の何れか一方にのみ表示するか、または１つの表示面に表示する。なお、車載用表示装置９００を用いて画像または映像を表示する表示方法は、図２または図６と同一であるので、その説明は省略する。
【００６５】
図１０は、２人の視聴者が各々異なる表示面に表示される画像または映像を視聴する状態を示す図である。視聴者１００１は、表示面１００３に表示される画像または映像を視聴し、視聴者１００２は、表示面１００４に表示される画像または映像を視聴するものとする。この場合、視聴者１００１における水平視聴角度θｈ１と、視聴者１００２における水平視聴角度θｈ２とは異なる。従って、信号処理部１０４と信号処理部９０４は、異なる伸張率で水平方向の画像または映像を各々独立に伸張する。
【００６６】
ここで、水平視聴角度θｈ１は、図１０に示すように、表示面１００３を視聴者１００１と水平で且つ地面に垂直に立てた場合の、表示面１００３の中心を通る表示面１００３に対して垂直な直線１００５に対する、表示面１００３の中心と視聴者１００１とを結ぶ直線１００６がなす角度である。また、水平視聴角度θｈ２は、図１０に示すように、表示面１００４を視聴者１００２と水平で且つ地面に垂直に立てた場合の、表示面１００４の中心を通る表示面１００４に対して垂直な直線１００７に対する、表示面１００４の中心と視聴者１００２とを結ぶ直線１００８がなす角度である。なお、本実施の形態３において、複数の視聴者が複数の画像または映像を視聴する場合には、必ずしも視聴者は自分に近い表示面に表示される画像または映像を視聴するとは限らないため、伸張率を変更する前、あるいは伸張率を変更した画像または映像を表示面に表示する前に、伸張率を変更する必要の有無を各視聴者に問い合わせる問い合わせ手段を設けることが望ましい。また、本実施の形態３は、１つの表示部の２つの表示面に画像データの画像または映像データの映像を個別に表示する場合に限らず、１つの表示部の３つ以上の表示面に画像データの画像または映像データの映像を個別に表示する場合にも適用することができる。
【００６７】
このように、本実施の形態３によれば、上記実施の形態１及び実施の形態２の効果に加えて、複数の視聴者が異なる画像または映像を視聴する際に、各視聴者に最適な伸張率で伸張した画像または映像を表示するので、各視聴者が斜め方向から画像または映像を見る場合でも、全ての視聴者が本来のアスペクト比の画像または映像を見ることができる。
【００６８】
（実施の形態４）
図１１は、本発明の実施の形態４に係る車載用表示装置１１００の構成を示すブロック図である。
【００６９】
本実施の形態４に係る車載用表示装置１１００は、図１に示す実施の形態１に係る車載用表示装置１００において、図１１に示すように、視聴方向検出部１０１を除き、視聴方向情報取得部１１０１を追加する。なお、図１１においては、図１と同一構成である部分には同一の符号を付してその説明は省略する。
【００７０】
視聴方向情報取得部１１０１は、視聴者の表示面を視聴する視聴方向の情報である視聴方向情報を取得する。そして、視聴方向情報取得部１１０１は、取得した視聴方向情報を伸張率制御部１０３へ出力する。例えば、座席に設けられた圧縮センサーは、視聴者が座席に着座することにより視聴者の表示面を視聴する水平視聴角度及び垂直視聴角度を検出するとともに、視聴方向情報取得部１１０１は、圧縮センサーが検出した水平視聴角度及び垂直視聴角度の情報を視聴方向情報として取得する。この際に、表示面に対する各座席の水平視聴角度及び垂直視聴角度をあらかじめ設定しておいて、圧縮センサーは、視聴者が着座したことを検出すると同時に、視聴者が着座した座席に応じた水平視聴角度と垂直視聴角度とを検出する。圧縮センサーと視聴方向情報取得部１１０１とは有線で接続される。そして、圧縮センサーは、視聴者が着座したことを検出した座席の視聴方向情報を有線にて視聴方向情報取得部１１０１へ伝送する。
【００７１】
伸張率制御部１０３は、視聴方向情報取得部１１０１から入力した視聴方向情報の水平視聴角度及び垂直視聴角度を用いて、メモリ１０２に記憶している伸張率選択情報を参照して、水平方向及び垂直方向の伸張率を各々選択する。そして、伸張率制御部１０３は、選択した水平方向の伸張率及び垂直方向の伸張率の情報である伸張率情報を信号処理部１０４へ出力する。なお、車載用表示装置１１００を用いて画像または映像を表示する表示方法は、図２または図６と同一であるので、その説明は省略する。
【００７２】
このように、本実施の形態４によれば、画像または映像を斜め方向から見る場合に、画像または映像が圧縮した状態で見えないような伸張率で画像または映像を伸張することにより、本来のアスペクト比の画像または映像を見ることができ、見やすい画像または映像にすることができる。
【００７３】
なお、本実施の形態４において、圧縮センサーにより視聴者の視聴方向を検出することにしたが、これに限らず、車内の前方に設置したナビゲーション機器に設けられた視聴方向設定手段で手動により設定した視聴方向を検出する方法、またはリモコンで遠隔操作により設定した視聴方向を検出する方法、またはエスカッション（操作パネル）釦を用いて手動で設定した視聴方向を検出する方法、または視聴者がシートベルトを締めることで視聴方向を検出する方法の何れかの方法を適用し、検出した視聴方向を視聴方向情報として視聴方向情報取得部１１０１で取得するようにしても良い。また、本実施の形態４は、上記実施の形態３のように１つの表示部の複数の表示面に画像データの画像または映像データの映像を個別に表示する場合にも適用することができる。
【００７４】
上記実施の形態１〜実施の形態４において、水平視聴角度θｈ及び垂直視聴角度θｖは各々１つの数値として検出するとともに、１つの数値として検出した水平視聴角度θｈ及び垂直視聴角度θｖ毎に伸張率を選択するようにしたが、これに限らず、水平視聴角度θｈ及び垂直視聴角度θｖを、例えば０度以上且つ３０度未満と、３０度以上且つ６０度未満と、６０度以上且つ９０度以下のように所定の範囲毎に区切るとともに、所定の範囲毎に伸張率を変化させるようにしても良い。また、上記実施の形態１〜実施の形態４において、典型的な実施形態として、車載用の表示装置につき説明を行った。しかし、これに限らず、上記実施の形態１〜実施の形態４の表示装置は、表示画面に対する視聴者の水平視聴角度及び／又は垂直視聴角度が実質制限される用途に適用可能である。
【産業上の利用可能性】
【００７５】
本発明にかかる表示装置及び表示方法は、例えば車の同乗者が車内で画像または映像を視聴するのに好適である。
【図面の簡単な説明】
【００７６】
【図１】本発明の実施の形態１に係る車載用表示装置の構成を示すブロック図
【図２】本発明の実施の形態１に係る画像表示方法を示すフロー図
【図３】本発明の実施の形態１に係る視聴者の視聴角度を示す図
【図４】本発明の実施の形態１に係る視聴者の視聴角度を示す図
【図５】本発明の実施の形態１に係る表示面と視聴角度との関係を示す図
【図６】本発明の実施の形態２に係る画像表示方法を示すフロー図
【図７】本発明の実施の形態２に係る最大伸張率選択情報を示す図
【図８】本発明の実施の形態２に係る画像の伸張及び圧縮の状態を示す図
【図９】本発明の実施の形態３に係る車載用表示装置の構成を示すブロック図
【図１０】本発明の実施の形態３に係る視聴者の視聴角度を示す図
【図１１】本発明の実施の形態４に係る車載用表示装置の構成を示すブロック図
【図１２】視聴者の視聴角度を示す図
【図１３】視聴者の視聴角度を示す図
【図１４】垂直方向の圧縮率と垂直方向における視聴角度との関係を示す図
【図１５】水平方向の圧縮率と水平方向における視聴角度との関係を示す図
【符号の説明】
【００７７】
１００  車載用表示装置
１０１  視聴方向検出部
１０２  メモリ
１０３  伸張率制御部
１０４  信号処理部
１０５  表示部
【図１】
2007256531.tif 000003
【図２】
2007256531.tif 000004
【図３】
2007256531.tif 000005
【図４】
2007256531.tif 000006
【図５】
2007256531.tif 000007
【図６】
2007256531.tif 000008
【図７】
2007256531.tif 000009
【図８】
2007256531.tif 000010
【図９】
2007256531.tif 000011
【図１０】
2007256531.tif 000012
【図１１】
2007256531.tif 000013
【図１２】
2007256531.tif 000014
【図１３】
2007256531.tif 000015
【図１４】
2007256531.tif 000016
【図１５】
2007256531.tif 000017